(57)【要約】【目的】例えば、冷蔵庫を介して冷蔵することにより冷水や冷茶のような飲料を供給するための飲料用容器であり、飲料を注ぐ際に便利となるようにハンドル装置を設けた飲料用容器を提供する。【構成】飲料を貯蔵する貯蔵容器の上部に正面側に向かう注出口を備え、貯蔵容器の背部にハンドルを設けた飲料用容器において、ハンドルは、それぞれ貯蔵容器の背部に対して縦軸回りに回動自在に軸支される軸支部と、該軸支部から横方向に延びるブラケット部を介して縦方向に延びるグリップ部を備えた一対のハンドル構成体から成り、一対のハンドル構成体の軸支部を貯蔵容器の背部に並設することにより、一対のハンドル構成体が相互に、グリップ部を貯蔵容器の幅方向のほぼ中央に平行に衝合された位置と、グリップ部を貯蔵容器の幅方向の両側に離間された位置との間で回動自在となるように軸支すると共に、並設された軸支部を相互に噛合せしめるセクタギヤを設けることにより、一対のハンドル構成体を相互に連動して回動するように連結した構成である。【選択図】        図１
2004244042.tif 000002
【特許請求の範囲】
【請求項１】
飲料を貯蔵する貯蔵容器１の上部に正面側に向かう注出口７を備え、貯蔵容器１の背部にハンドル１４を設けた飲料用容器において、
ハンドル１４は、それぞれ貯蔵容器の背部に対して縦軸回りに回動自在に軸支される軸支部１５ａ、１５ｂ（２０ａ、２０ｂ）と、該軸支部から横方向に延びるブラケット部１６ａ、１６ｂを介して縦方向に延びるグリップ部１７を備えた一対のハンドル構成体１４Ａ、１４Ｂから成り、
一対のハンドル構成体１４Ａ、１４Ｂの軸支部１５ａ、１５ｂを貯蔵容器の背部に並設することにより、一対のハンドル構成体が相互に、グリップ部１７、１７を貯蔵容器の幅方向のほぼ中央に平行に衝合された位置と、グリップ部１７、１７を貯蔵容器の幅方向の両側に離間された位置との間で回動自在となるように軸支すると共に、並設された軸支部を相互に噛合せしめるセクタギヤ２３ａ、２３ａ（２３ｂ、２３ｂ）を設けることにより、一対のハンドル構成体１４Ａ、１４Ｂを相互に連動して回動するように連結して成ることを特徴とする飲料用容器におけるハンドル装置。
【請求項２】
最大幅寸法Ｗ１とされた貯蔵容器１の背部の幅方向ほぼ中央に位置して、前記最大幅よりも狭い幅寸法Ｗ２で縦方向に延びる膨出部１１を形成することにより、該膨出部１１の両側に縦方向に延びる凹陥部１２、１２を形成し、
一対のハンドル構成体１４Ａ、１４Ｂを回動することによりグリップ部１７、１７を相互に離間せしめたとき、該グリップ部１７、１７が前記凹陥部１２、１２に格納されるように構成して成ることを特徴とする請求項１に記載の飲料用容器におけるハンドル装置。
【請求項３】
膨出部１１を下向きとした状態で貯蔵容器１を横置き可能とするように、膨出部１１から突出する座部１３を設けて成ることを特徴とする請求項２に記載の飲料用容器におけるハンドル装置。
【請求項４】
一対のハンドル構成体１４Ａ、１４Ｂは、グリップ部１７、１７を貯蔵容器の幅方向のほぼ中央に平行に衝合せしめたとき、グリップ部１７、１７の相互間に指入れ空間Ｓを形成する非衝合部２４を設けて成ることを特徴とする請求項１、２又は３に記載の飲料用容器におけるハンドル装置。
【発明の詳細な説明】
【０００１】
【発明の属する技術分野】
本発明は、飲料用容器、例えば、冷蔵庫を介して冷蔵することにより冷水や冷茶のような飲料を供給するための飲料用容器において、飲料を注ぐ際に便利となるように設けたハンドル装置に関する。
【０００２】
【従来の技術】
従来、冷水や冷茶等の飲料を供給するための飲料用容器は、飲料を貯蔵する貯蔵容器の頂部に形成した開口筒部に外栓を着脱自在に取付けると共に、該外栓に内栓を螺着せしめている。外栓は、飲料用容器の正面側に向かう注出口を設けており、内栓を弛めることにより、貯蔵容器の内部の飲料を注出口から外部に向けて注出することができる。このような飲料用容器は、例えば、本出願人の意匠登録第１１４３７４３号公報に示されている。
【０００３】
【発明が解決しようとする課題】
貯蔵容器の内部の飲料を注出口から外部に向けて注出するためには、当然のことながら、飲料用容器を前傾姿勢となるように傾倒せしめなければならない。然しながら、従来の飲料用容器は、通常、ハンドルを設けていないため、作業者が両手で持ち上げ、傾倒せしめる必要があり、不便である。
【０００４】
この点に関して、貯蔵容器にハンドルを設ければ、前記問題を解決できるが、上述のように飲料用容器を冷蔵庫に入れて冷蔵するに際し、ハンドルが嵩張るという新たな問題を提起する。
【０００５】
特に、十分な飲料を貯蔵した容器は相当に重いため、剛強なハンドルを設けるとすれば、全体として益々嵩張ることになる。
【０００６】
【課題を解決するための手段】
本発明は上記問題を解決した飲料用容器におけるハンドル装置を提供するものであり、その手段として構成したところは、飲料を貯蔵する貯蔵容器の上部に正面側に向かう注出口を備え、貯蔵容器の背部にハンドルを設けた飲料用容器において、ハンドルは、それぞれ貯蔵容器の背部に対して縦軸回りに回動自在に軸支される軸支部と、該軸支部から横方向に延びるブラケット部を介して縦方向に延びるグリップ部を備えた一対のハンドル構成体から成り、一対のハンドル構成体の軸支部を貯蔵容器の背部に並設することにより、一対のハンドル構成体が相互に、グリップ部を貯蔵容器の幅方向のほぼ中央に平行に衝合された位置と、グリップ部を貯蔵容器の幅方向の両側に離間された位置との間で回動自在となるように軸支すると共に、並設された軸支部を相互に噛合せしめるセクタギヤを設けることにより、一対のハンドル構成体を相互に連動して回動するように連結して成る点にある。
【０００７】
飲料用容器は、最大幅寸法Ｗ１とされた貯蔵容器の背部の幅方向ほぼ中央に位置して、前記最大幅よりも狭い幅寸法Ｗ２で縦方向に延びる膨出部を形成しており、該膨出部の両側に縦方向に延びる凹陥部を形成している。従って、一対のハンドル構成体を回動することによりグリップ部を相互に離間せしめたとき、該グリップ部が前記凹陥部に格納されるように構成されている。
【０００８】
また、飲料用容器は、膨出部を下向きとした状態で貯蔵容器を横置き可能とするように、膨出部から突出する座部を設けている。
【０００９】
一対のハンドル構成体は、グリップ部を貯蔵容器の幅方向のほぼ中央に平行に衝合せしめたとき、グリップ部の相互間に指入れ空間を形成する非衝合部を設けている。
【００１０】
【発明の実施の形態】
以下図面に基づいて本発明の好ましい実施形態を詳述する。
【００１１】
図示のように、飲料用容器を構成する貯蔵容器１は、合成樹脂により成形された透明又は半透明の容器本体２と、該容器本体２の上部開口を閉鎖する頂壁体３とにより縦長形状のタンクを構成する。頂壁体３は、容器の内外を連通する開口筒部４を形成しており、該開口筒部４に被冠された外栓５を着脱自在に螺着すると共に、該外栓５に挿入された内栓６を着脱自在に螺着せしめている。外栓５は、飲料用容器の正面側に向かう注出口７を設けており、内栓６を弛めることにより、貯蔵容器１の内部の飲料を注出口７から外部に向けて注出せしめることができる。
【００１２】
貯蔵容器１は、背部において、頂面８ａ及び底面８ｂに交差する端面９ａ、９ｂを介して階段状の段面１０ａ、１０ｂを形成している。図例の場合、上側の端面９ａ及び段面１０ａは、頂壁体３の頂面８ａから階段状に形成されており、下側の端面９ｂ及び段面１０ｂは、容器本体３の底面８ｂから階段状に形成されている。
【００１３】
図２に示すように、貯蔵容器１の最大幅寸法Ｗ１に対して、貯蔵容器１の背部の幅方向ほぼ中央には、前記段面１０ａ、１０ｂの一部を含んで、前記最大幅寸法Ｗ１よりも狭い幅寸法Ｗ２で縦方向に延びる膨出部１１が形成されており、これにより、図１に示すように、膨出部１１の両側に位置して縦方向に延びる凹陥部１２、１２が形成されている。
【００１４】
更に、膨出部１１から突出する座部１３が設けられており、図例の場合、座部１３は、膨出部１１の幅方向に延びるリブにより形成され、膨出部１１の上下に間隔をあけて一対の座部１３、１３が設けられている。
【００１５】
貯蔵容器１の背部には、ハンドル１４が設けられ、該ハンドル１４は、一対のハンドル構成体１４Ａ、１４Ｂから構成されている。一対のハンドル構成体１４Ａ、１４Ｂは、相互に対称的な構成とされ、それぞれ、図３に示すように、貯蔵容器１の上下の段面１０ａ、１０ｂに位置して縦軸回りに回動自在に軸支される支軸１５ａ、１５ｂと、該支軸から横方向に延びるブラケット部１６ａ、１６ｂを介して縦方向に延びるグリップ部１７を備えている。従って、図例の場合、ハンドル構成体１４Ａ、１４Ｂのそれぞれは、グリップ部１７の上下にブラケット部１６ａ、１６ｂを設けたほぼ門形に形成されており、上下の支軸１５ａ、１５ｂは同軸上に設けられている。
【００１６】
一対のハンドル構成体１４Ａ、１４Ｂにおける上側の支軸１５ａ、１５ａを並設状態で軸支せしめるため、図３に示すように、上側の端面９ａの幅方向ほぼ中央から軸受板１８ａが突設され、リブ１９ａを介して段面１０ａに連結されている。軸受板１８ａには、一対の軸受孔２０ａ、２０ａが上下方向に貫通して開設されており、軸受孔２０ａ、２０ａは軸受板１８ａの両側縁に切欠を介して開口せしめられている。従って、一対のハンドル構成体１４Ａ、１４Ｂの上側の支軸１５ａ、１５ａを軸受孔２０ａ、２０ａに嵌入せしめることにより、支軸１５ａ、１５ａが軸受孔２０ａ、２０ａに回動自在に軸支される。このようにして軸支せしめたとき、軸受板１８ａを挟むように、それぞれの支軸１５ａの上下に径大板部２１ａと径小板部２２ａが一体に形成されており、径大板部２１ａの周縁にはセクタギヤ２３ａが形成されている。
【００１７】
同様に一対のハンドル構成体１４Ａ、１４Ｂにおける下側の支軸１５ｂ、１５ｂを並設状態で軸支せしめるため、下側の端面９ｂの幅方向ほぼ中央から軸受板１８ｂが突設され、リブ１９ｂを介して段面１０ｂに連結されている。軸受板１８ｂには、一対の軸受孔２０ｂ、２０ｂが上下方向に貫通して開設されており、軸受孔２０ｂ、２０ｂは軸受板１８ｂの両側縁に切欠を介して開口せしめられている。従って、一対のハンドル構成体１４Ａ、１４Ｂの下側の支軸１５ｂ、１５ｂを軸受孔２０ｂ、２０ｂに嵌入せしめることにより、支軸１５ｂ、１５ｂが軸受孔２０ｂ、２０ｂに回動自在に軸支される。軸支状態で、軸受板１８ｂを挟むように、それぞれの支軸１５ｂの上下に径小板部２２ｂと径大板部２１ｂが一体に形成されており、径大板部２１ｂの周縁にはセクタギヤ２３ｂが形成されている。
【００１８】
このようにして、一対のハンドル構成体１４Ａ、１４Ｂは、それぞれの上側の支軸１５ａ、１５ａを上側の軸受板１８ａの軸受孔２０ａ、２０ａに軸支することにより並設したとき、径大板部２１ａ、２１ａのセクタギヤ２３ａが相互に噛合せしめられる。同様に、それぞれの下側の支軸１５ｂ、１５ｂを下側の軸受板１８ｂの軸受孔２０ｂ、２０ｂに軸支することにより並設したとき、径大板部２１ｂ、２１ｂのセクタギヤ２３ｂが相互に噛合せしめられる。
【００１９】
従って、一対のハンドル構成体１４Ａ、１４Ｂは、相互に、図１に示すようにグリップ部１７、１７を膨出部１１の幅方向のほぼ中央に平行に衝合された位置と、図２に示すようにグリップ部１７、１７を膨出部１１の両側に離間せしめると共に凹陥部１２、１２に格納した位置との間において、回動自在であり、しかも、相互に噛合されたセクタギヤ２３ａ及び２３ａ並びに２３ｂ及び２３ｂにより、相互に連動して回動せしめられる。
【００２０】
図１及び図４（Ａ）に示すように、一対のハンドル構成体１４Ａ、１４Ｂは、グリップ部１７、１７を衝合せしめたとき、グリップ部１７、１７の相互間に指入れ空間を形成する非衝合部２４、２４を設けている。図例の場合、図４（Ａ）に示すように、グリップ１７、１７の背面に形成した相互に対向する斜面により非衝合部２４、２４を形成しているので、断面をほぼＶ形とする指入れ空間Ｓが形成される。
【００２１】
上記構成の飲料用容器は、使用時において、図１及び図４（Ａ）に示すように、一対のハンドル構成体１４Ａ、１４Ｂを貯蔵容器２の背面に突出するように回動せしめ、相互にブラケット部１６ａ、１６ａ及び１６ｂ、１６ｂを衝合せしめると共に、グリップ部１７、１７を衝合せしめれば、該グリップ部１７、１７を握持することにより、飲料用容器を容易に持ち運ぶことができ、しかも、片手で飲料用容器を前傾姿勢となるように傾倒せしめることにより、貯蔵容器１の内部の飲料を注出口７から外部のグラスやコップに向けて容易に注出することができる。このように一対のハンドル構成体１４Ａ、１４Ｂを貯蔵容器２の背面に突出するように回動せしめた状態で、図４（Ａ）に示すように、上下の径大板部２１ａ、２１ｂの内側面（上側の径大板部２１ａは下側面、下側の径大板部２１ｂは上側面）に設けた突起２５が軸受板１８ａ、１８ｂに設けた穴２６に係合するように構成しておけば、ハンドル構成体１４Ａ、１４Ｂが自由に回動することはなく当該回動位置に固定される。
【００２２】
また、飲料用容器は、保管又は冷蔵庫内で冷蔵するに際しては、図２及び図４（Ｂ）に示すように、一対のハンドル構成体１４Ａ、１４Ｂをグリップ部１７、１７が離間するように回動せしめ、グリップ部１７、１７を凹陥部１２、１２に格納することができる。この状態で、図４（Ｂ）に示すように、上下の径大板部２１ａ、２１ｂに設けた突起２５が軸受板１８ａ、１８ｂに設けた穴２７に係合するように構成しておけば、ハンドル構成体１４Ａ、１４Ｂが自由に回動することはなく当該格納位置に固定される。
【００２３】
ハンドル構成体１４Ａ、１４Ｂを格納した状態で、グリップ部１７、１７は、凹陥部１２、１２に格納されており、貯蔵容器１の幅寸法Ｗ１から突出せず、しかも、膨出部１１の背面から突出しない。尚、上下のブラケット部１６ａ、１６ｂは、端面９ａ、９ｂと段面１０ａ、１０ｂにより形成された階段状の空間内に納められている。従って、飲料用容器のハンドル１４が嵩張ることはなくコンパクトである。そして、この状態で膨出部１１の背面全面が露出し、座部１３、１３を露呈するので、飲料用容器は、座部１３、１３を下向きとした横置き姿勢で冷蔵庫等に設置することができる。
【００２４】
本発明が図示の実施形態に限定されないことは勿論であり、例えば、上述した実施形態においては、上下に軸支部１５ａ、１５ｂを設けた門形のハンドル構成体４Ａ、４Ｂについて説明したが、ハンドル構成体４Ａ、４Ｂは、例えば、上側の軸支部１５ａにより片持ち支持されるように構成しても良い。
【００２５】
【発明の効果】
本発明によれば、ハンドル４を構成する一対のハンドル構成体４Ａ、４Ｂが軸支部１５ａ、１５ａ（１５ｂ、１５ｂ）を貯蔵容器１の背部に並設することにより、相互に、グリップ部１７、１７を貯蔵容器１の幅方向のほぼ中央に平行に衝合された位置と、グリップ部１７、１７を貯蔵容器１の幅方向の両側に離間された位置との間で回動自在となるように構成されているので、衝合せしめたグリップ部１７、１７を握持することにより、飲料用容器を容易に持ち運ぶことができ、しかも、片手で飲料用容器を前傾姿勢となるように傾倒せしめることにより、貯蔵容器１の内部の飲料を注出口７から外部のグラスやコップに向けて容易に注出することができる。
【００２６】
特に、本発明によれば、保管又は冷蔵庫内で冷蔵するに際して、一対のハンドル構成体１４Ａ、１４Ｂをグリップ部１７、１７が離間するように回動せしめると、グリップ部１７、１７が凹陥部１２、１２に格納される構成であるから、飲料用容器のハンドル１４が嵩張ることはなくコンパクトになる。そして、この状態で膨出部１１の背面全面が露出するので、飲料用容器を膨出部１１を下向きとした横置き姿勢で冷蔵庫等に設置することができる。
【００２７】
そして、一対のハンドル構成体１４Ａ、１４Ｂは、セクタギヤ２３ａ、２３ａ（２３ｂ、２３ｂ）により連動して回動するように連結されているので、一方のハンドル構成体１４Ａ又は１４Ｂを操作するだけで、同時に一対のハンドル構成体１４Ａ、１４Ｂを回動せしめることができ、操作性が良好であり。しかも、一対のハンドル構成体１４Ａ、１４Ｂが衝合されたグリップ部１７、１７の相互に指入れ空間Ｓを形成する構成であるから、衝合状態にあるグリップ部１７、１７を離間方向に回動せしめるに際して、操作が容易である。
【図面の簡単な説明】
【図１】本発明の１実施形態を示しており、ハンドルを突出せしめた状態を示す斜視図である。
【図２】本発明の１実施形態を示しており、ハンドルを格納せしめた状態を示す斜視図である。
【図３】本発明の要部を一部破断して示す分解斜視図である。
【図４】本発明の作用を示しており、（Ａ）はハンドルを突出せしめた状態を示す横断面図、（Ｂ）はハンドルを格納せしめた状態を示す横断面図である。
【符号の説明】
１    貯蔵容器
２    容器本体
３    頂壁体
７    注出口
９ａ、９ｂ  端面
１０ａ、１０ｂ  段面
１１    膨出部
１２    凹陥部
１３    座部
１４    ハンドル
１４Ａ、１４Ｂ  ハンドル構成体
１５ａ、１５ｂ  支軸（軸支部）
１６ａ、１６ｂ  ブラケット部
１７    グリップ部
１８ａ、１８ｂ  軸受板
２０ａ、２０ｂ  軸受孔（軸支部）
２３ａ、２３ｂ  セクタギヤ
２４    非衝合部
Ｓ    指入れ空間
【図１】
2004244042.tif 000003
【図２】
2004244042.tif 000004
【図３】
2004244042.tif 000005
【図４】
2004244042.tif 000006